(57)【要約】【課題】ＬＥＤおよび識別抵抗を実装したアダプタにおいて、ＬＥＤの実装面積を確保しつつ、ＬＥＤの放熱効率を向上させる。【解決手段】内視鏡の挿入部先端に着脱可能に取り付けられるアダプタ本体１１と、アダプタ本体１１の先端面に裏面が固定される基板１３と、基板１３の表面に実装されたＬＥＤ１５と、基板１３の裏面に実装された識別抵抗１９と、挿入部側からＬＥＤ１５に電力を導くプローブピン３０とを備え、プローブピン３０が識別抵抗１９を介してＬＥＤ１５に電力を導く光学アダプタ６を採用する。【選択図】図２
2011024954.tif 000002
【特許請求の範囲】
【請求項１】
内視鏡挿入部の先端に、取付け可能なアダプタ本体と、
一主面に電気回路が設けられ、他主面が前記アダプタ本体の先端面に固定された基板と、
前記基板の他主面に設けられた識別抵抗と、
前記挿入部側から前記電気回路に電力を導く導電手段とを備え、
前記導電手段が前記識別抵抗を介して前記電気回路に電力を導くアダプタ。
【請求項２】
前記アダプタ本体は、前記識別抵抗に対向する位置に凹部が設けられ、該凹部において前記導電手段が前記識別抵抗を介して前記電気回路に電力を導く請求項１に記載のアダプタ。
【請求項３】
内視鏡挿入部の先端に、取付け可能なアダプタ本体と、
一主面に電気回路が設けられ、他主面が前記アダプタ本体の先端面に固定された基板と、
前記基板の裏面に設けられた薄膜状の識別抵抗、及び該基板の裏面に設けられた電気伝導性を有する接点と、
前記挿入部側から前記基板に電力を導く導電手段と、
前記導電手段が前記接点を介して前記電気回路および前記識別抵抗に電力を導くアダプタ。
【請求項４】
前記接点に対向する位置の前記アダプタ本体に凹部が設けられ、該凹部において前記導電手段が前記接点を介して前記電気回路および前記識別抵抗に電力を導く請求項３に記載のアダプタ。
【請求項５】
前記識別抵抗が、レーザトリミング抵抗である請求項１または請求項２に記載のアダプタ。
【請求項６】
前記導電手段が、ケーシングと、該ケーシングに対して軸方向に突出可能な電極と、該電極を軸方向に付勢する付勢手段とを備える請求項１から請求項５のいずれかに記載のアダプタ。
【請求項７】
請求項１から請求項６のいずれかに記載のアダプタと、
該アダプタと嵌合し、前記導電手段に電力を供給する挿入部とを備える内視鏡。
【発明の詳細な説明】
【技術分野】
【０００１】
本発明は、アダプタおよびこれを備えた内視鏡に関するものである。
【背景技術】
【０００２】
従来、挿入部の先端に着脱自在な光学アダプタを備えるアダプタ式内視鏡が知られている。このようなアダプタ式内視鏡において、挿入部の先端に取り付けられる光学アダプタは、観察対象や用途に応じて様々な種類を使い分ける必要があり、それぞれ観察方向や視野角などが異なるものとなっている。
【０００３】
従来、それらの異なる種類の光学アダプタを見分けるために、アダプタ本体の側面に種別名称を刻印して見分けていた。また、光学アダプタに識別抵抗を実装し、挿入部側の接点からその抵抗値を読み取ることによって、光学アダプタの種別判別を行う方法が知られている（例えば、特許文献１参照）。
【０００４】
ところで、内視鏡の照明光源として、光学アダプタにＬＥＤ等の発光素子を実装したアダプタ式内視鏡が知られている（例えば、特許文献２参照）。このようなアダプタ式内視鏡では、ＬＥＤが搭載される基板に識別抵抗も実装することで、光学アダプタの判別を行うことができる。この場合には、ＬＥＤ実装面、またはその裏面にチップ型の識別抵抗が実装されることとなる。
【先行技術文献】
【特許文献】
【０００５】
【特許文献１】特開２００４−３１３２４１号公報
【特許文献２】特開２００８−３６０３２号公報
【発明の概要】
【発明が解決しようとする課題】
【０００６】
しかしながら、ＬＥＤ実装面にチップ型の識別抵抗を実装すると、以下のような不都合がある。
ＬＥＤを実装できる面積が減るため、ＬＥＤの数量を削減せざるを得ず、その結果、照明光量が低下する。また、ＬＥＤの実装面積が狭くなることで、ワイヤボンディングが複雑になるため、光学アダプタの歩留まりが低下する。さらに、識別抵抗から発生した熱が周囲のＬＥＤに伝わってしまうため、ＬＥＤの寿命を短くしてしまう。
【０００７】
また、ＬＥＤ実装面の裏面にチップ型の識別抵抗を実装しても、以下のような不都合がある。
識別抵抗の周囲にショート防止用の逃げ部（空間）が必要となり、この逃げ部が断熱層として機能するため、ＬＥＤの放熱効率を低下させる。また、識別抵抗の実装面積の分だけ、基板と該基板を支持するアダプタ本体との接触面積が減るため、放熱効率を低下させる。さらに、前述の逃げ部を設けることで、光学アダプタおよび挿入部が大径化してしまう。
【０００８】
本発明は、上記事情に鑑みてなされたもので、ＬＥＤおよび識別抵抗を実装したアダプタにおいて、ＬＥＤの実装面積を確保しつつ、ＬＥＤの放熱効率を向上させることができるアダプタおよびこれを備えた内視鏡を提供することを目的とする。
【課題を解決するための手段】
【０００９】
上記目的を達成するために、本発明は、以下の手段を採用する。
本発明の第１の態様は、内視鏡挿入部の先端に、取付け可能なアダプタ本体と、一主面に電気回路が設けられ、他主面が前記アダプタ本体の先端面に固定された基板と、前記基板の他主面に設けられた識別抵抗と、前記挿入部側から前記電気回路に電力を導く導電手段とを備え、前記導電手段が前記識別抵抗を介して前記電気回路に電力を導くアダプタである。
【００１０】
本発明の第１の態様によれば、導電手段により挿入部側から電力が導かれることによって、識別抵抗に基づいてアダプタの識別が行われるとともに、電気回路において発生した熱が、基板を介してアダプタ本体に伝えられて放散される。
【００１１】
この場合において、導電手段は、識別抵抗を介して電気回路に電力を伝達しているため、導電手段と電気回路（基板）とを接続する配線および配線のためのスペースを、基板とアダプタ本体との間に設ける必要がない。これにより、基板とアダプタ本体との接触面積を最大化して、これらの間の伝熱量を大きくすることができ、効率的に電気回路の放熱を行うことができる。
【００１２】
上記の第１の態様において、前記アダプタ本体は、前記識別抵抗に対向する位置に凹部が設けられ、該凹部において前記導電手段が前記識別抵抗を介して前記電気回路に電力を導くこととしてもよい。
このようにすることで、識別抵抗に対向する位置においてアダプタ本体に設けられた凹部、すなわち、基板とアダプタ本体との間における空間（逃げ部）を最小化することができる。ここで、この空間は、基板とアダプタ本体との間における断熱層として機能する。したがって、この空間を最小化することで、基板とアダプタ本体との接触面積を最大化して、これらの間の伝熱量を大きくすることができ、効率的に電気回路の放熱を行うことができる。
【００１３】
本発明の第２の態様は、内視鏡挿入部の先端に、取付け可能なアダプタ本体と、一主面に電気回路が設けられ、他主面が前記アダプタ本体の先端面に固定された基板と、前記基板の裏面に設けられた薄膜状の識別抵抗、及び該基板の裏面に設けられた電気伝導性を有する接点と、前記挿入部側から前記基板に電力を導く導電手段と、前記導電手段が前記接点を介して前記電気回路および前記識別抵抗に電力を導くアダプタである。
【００１４】
本発明の第２の態様によれば、導電手段により内視鏡挿入部からの電力が導かれることによって、識別抵抗に基づいてアダプタの識別が行われるとともに、電気回路において発生した熱が、基板を介してアダプタ本体に伝えられて放散される。
【００１５】
この場合において、基板の裏面には、薄膜状の識別抵抗と、電気伝導性を有する接点とが設けられている。そして、導電手段は、この接点を介して電気回路に電力を伝達しているため、導電手段と電気回路とを接続する配線および配線のためのスペースを、基板とアダプタ本体との間に設ける必要がない。これにより、基板とアダプタ本体との接触面積を最大化して、これらの間の伝熱量を大きくすることができ、効率的に電気回路の放熱を行うことができる。
【００１６】
上記の第２の態様において、前記接点に対向する位置の前記アダプタ本体に凹部が設けられ、該凹部において前記導電手段が前記接点を介して前記電気回路および前記識別抵抗に電力を導くこととしてもよい。
このようにすることで、基板の接点に対向する位置においてアダプタ本体に設けられた凹部、すなわち、基板とアダプタ本体との間における空間（逃げ部）を最小化することができる。ここで、この空間は、基板とアダプタ本体との間における断熱層として機能する。したがって、この空間を最小化することで、基板とアダプタ本体との接触面積を最大化して、これらの間の伝熱量を大きくすることができ、効率的に電気回路の放熱を行うことができる。
【００１７】
上記の第１の態様において、前記識別抵抗が、レーザトリミング抵抗であることとしてもよい。
レーザトリミング抵抗は、チップ抵抗のような一定の規格サイズに捉われず、様々な大きさとすることができるので、基板等の形状に合わせた識別抵抗を実装することができる。
【００１８】
上記の第１および第２の態様において、前記導電手段が、ケーシングと、該ケーシングに対して軸方向に突出可能な電極と、該電極を軸方向に付勢する付勢手段とを備えることとしてもよい。
付勢手段によって電極を付勢することで、軸方向にガタつきがあった場合にも、識別抵抗または基板の接点に電極を確実に接触させることができる。これにより、識別抵抗の読み取り異常による挿入部へのアダプタの取り付けミスを防止することができる。
【００１９】
本発明の第３の態様は、上記のアダプタと、該アダプタと嵌合し、前記導電手段に電力を供給する挿入部とを備える内視鏡である。
このような内視鏡によれば、上記のアダプタを採用しているため、各アダプタを識別抵抗によって識別するとともに、各アダプタの電気回路において発生した熱を効率的に放散することができる。
【発明の効果】
【００２０】
本発明によれば、導電手段により挿入部側から電力が導かれることによって、識別抵抗に基づいてアダプタの識別が行われるとともに、電気回路において発生した熱が、基板を介してアダプタ本体に伝えられて放散される。
この場合において、導電手段は、識別抵抗を介して電気回路に電力を伝達しているため、導電手段と電気回路（基板）とを接続する配線および配線のためのスペースを、基板とアダプタ本体との間に設ける必要がない。これにより、基板とアダプタ本体との接触面積を最大化して、これらの間の伝熱量を大きくすることができ、効率的に電気回路の放熱を行うことができる。
【図面の簡単な説明】
【００２１】
【図１】本発明の第１の実施形態に係る内視鏡の斜視図である。
【図２】図１の内視鏡に着脱されるアダプタの縦断面図である。
【図３】図２のプローブピンの縦断面図である。
【図４】図２の光学アダプタの正面図である。
【図５】図２の識別抵抗とプローブピンとの位置関係を説明する斜視図である。
【図６】図１の挿入部の先端部の正面図である。
【図７】図６のＡ−Ａ断面における縦断面図である。
【図８】図６のＢ−Ｂ断面における縦断面図である。
【図９】図６のＡ−Ａ断面における挿入部に光学アダプタを装着した状態を示す縦断面図である。
【図１０】図６のＢ−Ｂ断面における挿入部に光学アダプタを装着した状態を示す縦断面図である。
【図１１】本発明の第２の実施形態に係るアダプタの縦断面図である。
【図１２】図１１の基板を裏面から見た場合の正面図である。
【発明を実施するための形態】
【００２２】
〔第１の実施形態〕
以下、本発明の第１の実施形態に係る内視鏡について図面を参照して説明する。
図１に示すように、本実施形態に係る内視鏡１は、挿入部の先端に着脱自在な光学アダプタ（アダプタ）６を備えるアダプタ式内視鏡であり、例えば配管内に挿入される細長い挿入部２と、挿入部２の湾曲動作を操作する操作部３と、挿入部２からの信号に基づいて画像を生成する内視鏡の本体４と、本体４により生成された画像を表示するモニタ５とを備えている。
【００２３】
挿入部２は、先端側から順に、先端部２１と、操作部３をユーザが操作することによって３次元的に湾曲される湾曲部２２と、可撓性部材にて形成された長尺な可撓管部２３とが連続して一体的に配置されており、可撓管部２３の基端部が操作部３に接続されている。
また、挿入部２の先端部２１には、後述する光学アダプタ６が着脱されるようになっている。
【００２４】
操作部３は、ユーザにより例えば操作レバーが操作されることによって、挿入部２内に挿通された湾曲操作ワイヤ（図示略）を長手方向に引っ張るように動作させ、湾曲部２２を３次元方向に湾曲動作させるようになっている。より具体的には、操作部３は、ユーザにより操作レバーが傾けられた方向に、その傾き角度に応じた角度で湾曲部２２を湾曲させるようになっている。なお、操作部３には、操作レバーの他、撮像動作等を指示する各種スイッチが設けられている。
【００２５】
本体３は、例えばマグネシウムダイキャストにより構成された筐体を備え、該筐体の内部には、画像処理用のＣＰＵ等の電気部品が複数固定された基板（図示略）や、後述する光学アダプタ６のＬＥＤ１５に電力を供給するバッテリユニット（図示略）等が設けられている。
また、本体３の筐体外部には、挿入部２により撮像され、本体３内のＣＰＵ等により生成された内視鏡画像を表示するモニタ５が設けられている。
【００２６】
次に、本発明の第１の実施形態に係る光学アダプタ６の構成について、図２から図５を用いて説明する。
図２は光学アダプタ６の縦断面図、図３はプローブピン３０の縦断面図、図４は光学アダプタ６の正面図、図５は図２の識別抵抗１９とプローブピン３０との位置関係を説明する斜視図である。
図２に示されるように、光学アダプタ６は、挿入部２の先端部２１外周面に嵌合する円筒部分を有し、全体として略円柱形状を有している。光学アダプタ６の外周面には、挿入部２の先端部２１が挿入された状態で、例えば中心軸線回りに回転させることで、挿入部２の先端部２１に締結される円筒状の固定リング１２が設けられている。
【００２７】
光学アダプタ６は、挿入部２の先端面に当接されるアダプタ本体１１と、アダプタ本体１１の先端面に固定されたリング状の基板１３とを備えている。
アダプタ本体１１は、熱伝導性の良好な材質で構成されており、基板１３の熱を挿入部２の先端部２１に導くようになっている。アダプタ本体１１と基板１３との間には、例えばエポキシ樹脂等の絶縁部材が設けられており、これらの間は電気的に絶縁されている。なお、絶縁部材を設ける代わりに、アダプタ本体１１を絶縁部材で構成することとしてもよい。
【００２８】
基板１３は、金属等の電気伝導性および熱伝導性の良好な材質で構成されており、後述するプローブピン（導電手段）３０からの電力をＬＥＤ（電気回路）１５に導くとともに、ＬＥＤ１５において発生した熱をアダプタ本体１１に導くようになっている。
【００２９】
基板１３の表面には、図４に示されるように、観察領域を照明する複数のＬＥＤ１５が、周方向に間隔を空けて円環状に配置されている。
また、基板１３の中心に設けられた孔には、ＬＥＤ１５により照明された観察領域からの光を集光する対物光学系１７が設けられている。
【００３０】
基板１３の裏面には、図２に示されるように、所定の抵抗値を有する識別抵抗１９が実装されている。この識別抵抗１９は、光学アダプタ毎に固有の抵抗値を有しており、その抵抗値を読み取ることで、光学アダプタの識別ができるようになっている。識別抵抗１９は、例えばレーザトリミング抵抗であり、基板１３の形状に合わせた形状を有している。
【００３１】
また、アダプタ本体１１には、識別抵抗１９および基板１３を介して、挿入部２側からＬＥＤ１５に電力を導くプローブピン３０が設けられている。
プローブピン３０は、挿入部２の先端部２１が挿入された際に、挿入部２の先端部２１に設けられた挿入部側端子４３に接触するようになっている。
【００３２】
ここで、プローブピン３０の構成および配置について図３および図５を用いて説明する。
図３および図５に示されるように、プローブピン３０は、金属等の電気伝導性の良好な材質で構成されている。プローブピン３０の軸線上には、識別抵抗１９が配置されている。
【００３３】
プローブピン３０は、図３に示されるように、円筒形状のケーシング３１と、ケーシング３１に対して軸方向に突出可能な電極３２，３３と、ケーシング３１の内部に配置され、電極３２，３３を軸方向に付勢する図示しないスプリング（付勢手段）とを備えている。
このような構成を有することで、プローブピン３０は、識別抵抗１９の電気導通部に電極３２がスプリングの弾性力によって常に押し付けられるようになっている。また、プローブピン３０の電極３３も、挿入部２の先端部２１に設けられた挿入部側端子４３にスプリングの弾性力によって常に押し付けられるようになっている。
【００３４】
ケーシング３１の外周面には、円筒形状の絶縁部材３４が設けられている。この絶縁部材３４により、プローブピン３０からアダプタ本体１１への漏電が防止されるようになっている。
また、アダプタ本体１１の識別抵抗１９に対向する位置には、識別抵抗１９とプローブピン３０の電極３２が触れてショートが発生しないように、逃げ部（凹部）１６が設けられている。すなわち、プローブピン３０は、この逃げ部１６において識別抵抗１９および基板１３を介してＬＥＤ１５に電力を導くようになっている。
なお、基板１３とアダプタ本体１１とは、逃げ部１６以外の領域において、絶縁部材を介して接触させられている。
【００３５】
次に、挿入部２の先端部２１の内部構成について、図６から図８を用いて説明する。
図６は挿入部２の先端部２１の正面図であり、図７は図６のＡ−Ａ断面における縦断面図、図８は図６のＢ−Ｂ断面における縦断面図である。
図６に示されるように、挿入部２の先端部２１は、光学アダプタ６に嵌合する先端本体４４と、先端本体４４の外周面に設けられた管状部材４５とを備えている。
【００３６】
先端本体４４は、図６に示されるように、光学アダプタ６の対物光学系１７からの光を集光する光学レンズ４１と、光学アダプタ６と先端本体４４との回転位置を決定する回転位置決め部４２と、光学アダプタ６のプローブピン３０に接触させられる挿入部側端子４３とを備えている。
【００３７】
また、先端本体４４は、図７に示されるように、光学レンズ４１により集光された光を撮像する撮像ユニット４６と、撮像ユニット４６に接続され、撮像ユニット４６からの出力信号を伝送する撮像ケーブル４７と、光学アダプタ６から先端本体４４を介して伝達された熱を挿入部２の基端側に伝えて放熱する放熱ケーブル４８とを備えている。
【００３８】
また、先端本体４４には、図８に示されるように、外周面が絶縁部材で被覆され、ＬＥＤ１５に電力を供給するための電力ケーブル４９が挿通されている。電力ケーブル４９の先端には、導体が露出された挿入部側端子４３が設けられている。この挿入部側端子４３は、挿入部２の先端部２１に光学アダプタ６が装着された際に、光学アダプタ６のプローブピン３０と接触するようになっている。
また、挿入部側端子４３の周囲には、ショートを防止するために、空間５０が設けられている。この空間５０の内壁には、絶縁部材４０が被覆されている。
【００３９】
次に、挿入部２の先端部２１に光学アダプタ６を装着した状態について、図９および図１０を用いて説明する。図９は、図６のＡ−Ａ断面における光学アダプタ６を装着した場合の縦断面図、図１０は、図６のＢ−Ｂ断面における光学アダプタ６を装着した場合の縦断面図である。
【００４０】
図９に示されるように、光学アダプタ６の円筒内に挿入部２の先端部２１を挿入した状態で、光学アダプタ６の固定リング１２を中心軸線回りに回転させると、光学アダプタ６と挿入部２の先端部２１とが締結され、嵌合部２５において嵌合する。
この状態では、光学アダプタ６のアダプタ本体１１と挿入部２の先端本体４４とが面接触する。すなわち、アダプタ本体１１と先端本体４４とは、接触面２６において伝熱できるようになっている。
【００４１】
プローブピン３０の電極３２は、図１０に示されるように、図示しないスプリングの弾性力によって識別抵抗１９に押し当てられる。また、プローブピン３０の電極３３は、図示しないスプリングの弾性力によって挿入部２の挿入部側端子４３に押し当てられる。
【００４２】
上記構成を有する内視鏡１の作用について以下に説明する。
本体４内のバッテリユニットから、挿入部２に挿通された電力ケーブル４９を介して、ＬＥＤ１５に電力が供給されると、ＬＥＤ１５から観察領域に向けて照明光が射出されるとともに、観察領域からの光が、光学アダプタ６の対物光学系１７により集光され、光学レンズ４１により撮像ユニット４６上に結像される。
【００４３】
撮像ユニット４６では、結像された光が光電変換されて撮像信号が生成される。生成された撮像信号は、撮像ケーブル４７により伝送され、本体４内のＣＰＵ等により画像が生成されてモニタ５に表示される。
【００４４】
また、プローブピン３０により挿入部２側から電力が導かれることによって、識別抵抗１９が有する所定の抵抗値に基づいて光学アダプタ６の識別が行われる。
また、ＬＥＤ１５において発生した熱が、基板１３を介してアダプタ本体１１に伝えられ、挿入部２の先端本体４４を介して放熱ケーブル４９により挿入部２の基端側に放散される。
【００４５】
この場合において、本実施形態に係る内視鏡１によれば、プローブピン３０は、識別抵抗１９を介してＬＥＤ１５に電力を伝達しているため、プローブピン３０とＬＥＤ１５（あるいは基板１３）とを接続する配線および配線のためのスペースを、基板１３とアダプタ本体１１との間に設ける必要がない。したがって、識別抵抗１９に対向する位置においてアダプタ本体に設けられた逃げ部１６、すなわち、基板１３とアダプタ本体１１との間における空間を最小化することができる。ここで、この逃げ部１６は、基板１３とアダプタ本体１１との間における断熱層として機能する。したがって、この逃げ部１６を最小化することで、基板１３とアダプタ本体１１との接触面積を最大化して、これらの間の伝熱量を大きくすることができ、効率的にＬＥＤ１５の放熱を行うことができる。
【００４６】
これにより、ＬＥＤ１５の熱による劣化を防止するとともに、ＬＥＤ１５において発生した熱が撮像ユニット４６に伝達されて、撮像ユニット４６において熱ノイズ等が発生してしまうことを防止することができ、観察画像の画質を向上することができる。
【００４７】
また、プローブピン３０をスプリングによって電極３２，３３を付勢する構成とすることで、軸方向にガタつきがあった場合にも、識別抵抗１９または挿入部側端子４３に電極３２，３３を確実に接触させることができる。これにより、識別抵抗１９の読み取り異常による挿入部２への光学アダプタ６の取り付けミスを防止することができる。
【００４８】
また、識別抵抗１９をレーザトリミング抵抗とすることで、チップ抵抗のような一定の規格サイズに捉われず、様々な大きさとすることができ、基板１３の形状に合わせて識別抵抗１９を実装することができる。
【００４９】
〔第２の実施形態〕
次に、本発明の第２の実施形態に係る光学アダプタ７について図面を参照して説明する。本実施形態の説明において、第１の実施形態に係る光学アダプタ６と共通する点については説明を省略し、異なる点について主に説明する。
本実施形態に係る光学アダプタ７が第１の実施形態に係る光学アダプタ６と異なる点は、基板１３の裏面に薄膜状の印刷抵抗（識別抵抗）５１を設け、印刷抵抗５１の上面を絶縁層５２で覆った点である。
【００５０】
図１１は本実施形態に係る光学アダプタ７の縦断面図、図１２は図１１に示す基板１３の正面図である。
本実施形態に係る光学アダプタ７は、図１２に示されるように、基板１３の裏面に、所定の抵抗値を有する薄膜状の印刷抵抗５１が設けられている。そして、この印刷抵抗５１の上面には、例えばエポキシ樹脂等により形成された絶縁層５２が被覆されている。また、基板１３の裏面は、一部を除いて絶縁層５２により被覆されている。基板１３の裏面が露出された部分は、プローブピン３０が押し当てられるプローブピン接触部（接点）５３として用いられる。このプローブピン接触部５３は、プローブピン３０の軸線上に配置されている。
【００５１】
プローブピン接触部５３の周囲は、プローブピン３０の電極３２が触れてショートが発生しないように、逃げ部（凹部）５４が設けられている。すなわち、プローブピン３０は、この逃げ部５４において基板１３裏面のプローブピン接触部５３に接触することで、基板１３を介してＬＥＤ１５に電力を導くようになっている。
【００５２】
なお、印刷抵抗５１の上面には絶縁層５２が被覆されているため、印刷抵抗５１とアダプタ本体１１との間でのショートが防止される。また、基板１３とアダプタ本体１１とは、逃げ部５４以外の領域において、絶縁層５２を介して接触させられている。
【００５３】
上記構成を有する本実施形態に係る光学アダプタ７によれば、プローブピン３０により挿入部２からの電力が導かれることによって、印刷抵抗５１が有する所定の抵抗値に基づいて光学アダプタ７の識別が行われるとともに、ＬＥＤ１５において発生した熱が、基板１３を介してアダプタ本体１１に伝えられて放散される。
【００５４】
この場合において、プローブピン３０は、プローブピン接触部５３に押し当てられることで、基板１３を介してＬＥＤ１５に電力を伝達しているため、プローブピン３０とＬＥＤ１５とを接続する配線および配線のためのスペースを、基板１３とアダプタ本体１１との間に設ける必要がない。したがって、基板１３裏面のプローブピン接触部５３に対向する位置においてアダプタ本体１１に設けられた逃げ部５４、すなわち、基板１３とアダプタ本体１１との間における空間を最小化することができる。ここで、この逃げ部５４は、基板１３とアダプタ本体１１との間における断熱層として機能する。したがって、この逃げ部５４を最小化することで、基板１３（絶縁層５２）とアダプタ本体１１との接触面積を最大化して、これらの間の伝熱量を大きくすることができ、効率的にＬＥＤ１５の放熱を行うことができる。
【００５５】
さらに、本実施形態に係る光学アダプタ７によれば、第１の実施形態における識別抵抗１９の周囲の逃げ部１６よりも、プローブピン接触部５３の周囲の逃げ部５４を小さくすることができるので、基板１３（絶縁層５２）とアダプタ本体１１との接触面積を増加させ、ＬＥＤ１５の放熱効率を向上することができる。
【００５６】
以上、本発明の実施形態について図面を参照して詳述してきたが、具体的な構成はこの実施形態に限られるものではなく、本発明の要旨を逸脱しない範囲の設計変更等も含まれる。
例えば、各実施形態において、ＬＥＤ１５に電力を導く導電手段は、プローブピン３０であるとして説明したが、これに代えて、電力ケーブルを識別抵抗１９またはプローブピン接触部５３に直接接続することとしてもよい。
【００５７】
また、各実施形態において、ＬＥＤ１５および識別抵抗１９または印刷抵抗５１を基板１３に実装することとして説明したが、これに代えて、基板１３を光学アダプタ６，７の本体に一体化させ、該本体にＬＥＤ１５および識別抵抗１９または印刷抵抗５１を実装することとしてもよい。
【符号の説明】
【００５８】
１  内視鏡
２  挿入部
３  操作部
４  本体
５  モニタ
６，７  光学アダプタ
１１  アダプタ本体
１３  基板
１５  ＬＥＤ（電気回路）
１６，５４  逃げ部（凹部）
１７  対物光学系
１９  識別抵抗
２１  先端部
３０  プローブピン（導電手段）
３１  ケーシング
３２，３３  電極
５１  印刷抵抗（識別抵抗）
５２  絶縁層
５３  プローブピン接触部（接点）
【図１】
2011024954.tif 000003
【図２】
2011024954.tif 000004
【図３】
2011024954.tif 000005
【図４】
2011024954.tif 000006
【図５】
2011024954.tif 000007
【図６】
2011024954.tif 000008
【図７】
2011024954.tif 000009
【図８】
2011024954.tif 000010
【図９】
2011024954.tif 000011
【図１０】
2011024954.tif 000012
【図１１】
2011024954.tif 000013
【図１２】
2011024954.tif 000014